(57)【要約】      （修正有）【課題】液体の浸入を防止できる繊維巻取装置を提供する。【解決手段】繊維巻取装置１０は、ストランド１６が巻き取られるコレット２２と、コレットに回転軸が取り付けられ、コレットを回転させるモータと、回転軸を回転可能に保持する保持部と、保持部が取り付けられ、回転可能なタレット盤２４と、第１前部カバー６６と、第１前部カバーに形成され、保持部またはタレット盤が配置される第１開口と、第１開口の周縁部に配置された第１ラビリンス構造７０と、第１前部カバーに対して隙間を開けて配置された第２前部カバーと、第２前部カバーに形成され、保持部またはタレット盤が配置される第２開口と、第２開口の周縁部に配置された第２ラビリンス構造とを備える。【選択図】図１
0003227137.tif 000002
【実用新案登録請求の範囲】
【請求項１】
ストランドが巻き取られるコレットと、
前記コレットに回転軸が取り付けられ、コレットを回転させるモータと、
前記回転軸を回転可能に保持する保持部と、
前記保持部が取り付けられ、回転可能なタレット盤と、
第１前部カバーと、
前記第１前部カバーに形成されており、前記保持部またはタレット盤が配置される第１開口と、
前記第１開口の周縁部に配置された第１ラビリンス構造と、
前記第１前部カバーに対して隙間を開けて配置された第２前部カバーと、
前記第２前部カバーに形成されており、前記保持部またはタレット盤が配置される第２開口と、
前記第２開口の周縁部に配置された第２ラビリンス構造と、
を備えた繊維巻取装置。
【請求項２】
前記第１ラビリンス構造が第１円盤状部を備え、第２ラビリンス構造が第２円盤状部を備えた請求項１の繊維巻取装置。
【請求項３】
前記第１ラビリンス構造が第１円盤状部を覆うひさし部を備えた請求項２の繊維巻取装置。
【請求項４】
前記ひさし部が第１開口の周縁部における上半分に設けられた請求項３の繊維巻取装置。
【請求項５】
前記第１前部カバーと第２前部カバーとの間にセパレータを備えた請求項１の繊維巻取装置。
【考案の詳細な説明】
【技術分野】
【０００１】
本考案は、繊維巻取装置に関する。
【背景技術】
【０００２】
従来、下記特許文献１をはじめとして、ガラス繊維などの繊維を巻き取る装置が開発されている。たとえば、従来の繊維巻取装置は複数本のフィラメント（単繊維）を集束してストランドを形成する。ストランドはコレットに巻き取り、ストランドでケーキを形成する。コレットにストランドを巻き取る際、トラバース装置でストランドの位置を移動させ、均一に巻き取っている。
【先行技術文献】
【特許文献】
【０００３】
【特許文献１】特開２０１５−１３７２２２号公報
【考案の概要】
【考案が解決しようとする課題】
【０００４】
コレットからケーキを取り出した後、飛び散ったフィラメントまたはストランドを高圧の水を吹き付けて除去する。また、トラバース装置とストランドとの摩擦を減らすために、その接触部分に潤滑用の液体をかける場合がある。さらに、ストランドに所定の液体を吹き付けながらコレットに巻き取る場合もある。そのため、繊維巻取装置の内部に液体（水を含む）が入るおそれがある。液体が繊維巻取装置の故障の原因になる場合がある。
【０００５】
そこで本考案の目的は、液体の浸入を防止できる繊維巻取装置を提供することにある。
【課題を解決するための手段】
【０００６】
以上の課題を解決すべく、本考案に係る繊維巻取装置は、以下に述べるような構成を有する。
【０００７】
本考案の繊維巻取装置は、ストランドが巻き取られるコレットと、前記コレットに回転軸が取り付けられ、コレットを回転させるモータと、前記回転軸を回転可能に保持する保持部と、前記保持部が取り付けられ、回転可能なタレット盤と、第１前部カバーと、前記第１前部カバーに形成されており、前記保持部またはタレット盤が配置される第１開口と、前記第１開口の周縁部に配置された第１ラビリンス構造と、前記第１前部カバーに対して隙間を開けて配置された第２前部カバーと、前記第２前部カバーに形成されており、前記保持部またはタレット盤が配置される第２開口と、前記第２開口の周縁部に配置された第２ラビリンス構造とを備える。
【考案の効果】
【０００８】
本考案によれば、第１前部カバーと第２前部カバーの二重構造にして、第１ラビリンス構造と第２ラビリンス構造を設けたことで、装置の内部への液体の浸入を防止しやすくなっている。
【図面の簡単な説明】
【０００９】
【図１】繊維巻取装置の全体構成を示す図である。
【図２】４本のストランドを形成して４つのケーキを形成する図である。
【図３】押出装置によってストランドを移動させた図である。
【図４】第１前部カバーおよび第１円盤状部を示す図である。
【図５】図４のＡ−Ａ線断面図である。
【図６】第４開口の中をタレット盤が通過する構成を示す図である。
【図７】第３開口と第４開口の中をタレット盤が通過する構成を示す図である。
【図８】第１ラビリンス構造と第２ラビリンス構造に折れ曲がり部分を設けた構成を示す図である。
【考案を実施するための形態】
【００１０】
本考案の繊維巻取装置について図面を参照して説明する。
【００１１】
図１に示す本願の繊維巻取装置１０は、複数本のフィラメント１２を集束させてストランド１６を形成するギャザリングシュー１４、ストランド１６に所定の張力を与えるガイド１８、ストランド１６の位置を変えるトラバース装置２０、ストランド１６を巻き取るコレット２２、そのコレット２２が取り付けられたタレット盤２４を備える。
【００１２】
フィラメント１２は単繊維であり、たとえばガラス繊維、バサルト繊維、天然繊維、合成繊維、カーボン等無機繊維などである。ギャザリングシュー１４は溝を備えたローラである（図２）。複数本のフィラメント１２が１つの溝で集束される。複数本のフィラメント１２が集束されることで１本のストランド１６が形成される。１本の回転軸２６に複数のローラが備えられてもよいし、幅広のローラに複数の溝が備えられてもよい。複数の溝があることで、同時に複数のストランド１６が形成できる。
【００１３】
ガイド１８はギャザリングシュー１４とコレット２２の間に配置されている。ストランド１６がガイド１８に接し、ストランド１６に張力を与えている。ガイド１８は溝を備えたローラまたは櫛歯状の板体である。図２に示すガイド１８は溝を備えたローラであり、そのガイド１８はストランド１６の本数に合わせて備えられる。全てのガイド１８が１本の回転軸２８に取り付けられている。全てのガイド１８が同時に回転する。
【００１４】
ガイド１８とコレット２２の間にトラバース装置２０が備えられる。トラバース装置２０は回転軸３０およびトラバース３２を備える。トラバース３２は曲線状の線状体である。トラバース３２が回転軸３０に取り付けられている。ストランド１６がトラバース３２に押し当てられており、回転軸３０が回転することで、ストランド１６がトラバース３２の形状に沿って移動する。ストランド１６がコレット２２の回転軸の長さ方向に往復する。ストランド１６がコレット２２に巻き付けられるときに、ストランド１６がコレット２２の回転軸の長さ方向に往復しながら巻き付けられ、ストランド１６がひとまとまりになったケーキ４０が形成される。１つのコレット２２に形成されるケーキ４０の数は限定されず、図２に示すように４つのケーキ４０が形成されてもよい。
【００１５】
ストランド１６を巻き取る巻取り部３６にコレット２２が含まれる。コレット２２はモータ３４の回転軸が取り付けられている。モータ３４の動力でコレット２２が回転する。保持部３８は軸受けを備える。軸受けはモータ３４の回転軸を回転可能に支えており、保持部３８はコレット２２を回転可能に保持する。保持部３８はタレット盤２４に固定されている。タレット盤２４が回転するとコレット２２も回転する。
【００１６】
図１に示すように、２つのコレット２２がタレット盤２４に取り付けられている。２つのコレット２２はタレット盤２４の中心に対して対称な位置に配置されている。一方のコレット２２の位置がストランド１６の巻き取り位置であり、他方のコレット２２の位置がケーキ４０の取り出し位置である。２つのコレット２２の間に仕切り板４２が備えられている。巻き取り位置にあるコレット２２がモータ３４によって回転される。一方のコレット２２にケーキ４０が形成されると、タレット盤２４が回転してコレット２２の位置が入れ替えられ、次に他方のコレット２２が回転される。
【００１７】
ケーキ４０の取り出し位置にあるコレット２２からケーキ４０を取り出すために、受け部材４４とその受け部材４４を移動させる移動装置４６を備える。受け部材４４はケーキ４０を下方から支持する。移動装置４６はサーボモータ、ボールネジまたはエアシリンダなどを備える。移動装置４６は、受け部材４４をコレット２２の回転軸の長さ方向に移動させる。受け部材４４がケーキ４０を支え、ケーキ４０をコレット２２の第１端部４８に向けて移動させる。コレット２２の外形を縮小してコレット２２からケーキ４０を取り外すことができる。なお、手作業でケーキ４０をコレット２２から取り外す場合、受け部材４４と移動装置４６は省略されてもよい。
【００１８】
繊維巻取装置１０はガイド１８とコレット２２の間を走行するストランド１６の位置を移動させる押出装置５０を備える。押出装置５０はストランド１６を押す押出バー５２とその押出バー５２を前後させるエアシリンダを備える。エアシリンダのピストンロッド５４に押出バー５２が取り付けられている。コレット２２にケーキ４０が完成してタレット盤２４が回転する前に、押出バー５２が前進されて、ストランド１６がケーキ４０の外側に押し出される（図３）。ストランド１６がケーキ４０に巻きつかず、コレット２２の第１端部４８の近傍の溝５６に巻きつく。タレット盤２４が回転すると一方のコレット２２の第１端部４８の近傍から他方のコレット２２の第１端部４８の近傍の溝５６にストランド１６が巻きかえられる。その後、押出バー５２が元の位置に戻されることで、他方のコレット２２にストランド１６が巻き取られる。
【００１９】
繊維巻取装置１０は水などの液体を噴出するスプレー装置５８を備える。タレット盤２４が回転すると一方のコレット２２から他方のコレット２２にストランド１６が巻きかえられる。その際、一方のコレット２２は回転を停止し、他方のコレット２２が回転を始めることで、コレット２２の回転差などで乗り移り、巻き付く際のストランド１６の折れ曲がりにより切断される。仕切り板４２に設けたカッター（図示省略）で切断される。ストランド１６が切断されるときに微細になったフィラメント１２が飛び散るおそれがある。スプレー装置５８でストランド１６に液体を吹き付けることで、フィラメント１２の飛び散りを防止する。なお、スプレー装置４８は必要に応じて設けられる。
【００２０】
コレット２２にチューブ６０が取り付けられる（図２）。チューブ６０はコレット２２の巻取り部３６と共に回転する。チューブ６０の上にストランド１６が巻き取られ、ケーキ４０が形成される。１つのチューブ６０に１つのケーキ４０が形成される。受け部材４４がケーキ４０と共にチューブ６０を移動させる。１つのコレット２２に形成するケーキ４０の数と同じ数のチューブ６０がコレット２２に取り付けられる。チューブ６０は紙製または樹脂製である。
【００２１】
コレット２２を回転させるモータ３４およびタレット盤２４を回転させるモータ（図示省略）は筐体６２に収納される。筐体６２はステンレスなどの耐腐食性材料で構成される。
【００２２】
図４および図５に示すように、筐体６２の前部６４はコレット２２などが配置される面である。筐体６２の前部６４は、第１前部カバー６６、その第１前部カバー６６に設けられた第１開口６８、その第１開口６８の周縁に設けられた第１ラビリンス構造７０、第２前部カバー７２、その第２前部カバー７２に設けられた第２開口７４、その第２開口７２の周縁に設けられた第２ラビリンス構造７６を備える。
【００２３】
筐体６２の前部６４は第１前部カバー６６と第２前部カバー７２の二重構造になっている。第１前部カバー６６と第２前部カバー７２は板状になっている。第１前部カバー６６と第２前部カバー７２は平行になっている。第１前部カバー６６と第２前部カバー７２の間に隙間７８を有する。なお、筐体６４の前部６４以外の部分は板状の部材で構成され、筐体６４は箱体になっている。
【００２４】
コレット２２の保持部３８が第１開口６８と第２開口７４を通過する。また、タレット盤２４が第２開口７４を通過する（図５）。第１開口６８と第２開口７４はタレット盤２４の外形に沿って円形になっている。タレット盤２４が第２開口７４の中を回転する。その回転によって、コレット２２の保持部３８が第１開口６８と第２開口７４の中を移動する。
【００２５】
第１ラビリンス構造７０は第１円盤状部８０とひさし部８２とを備える。第１円盤状部８０の外周は第１開口６８よりも外方を一周するように設けられている。第１円盤状部８０は保持部３８、タレット盤２４またはその両方に取り付けられ、タレット盤２４と一緒に回転する。たとえば、第１円盤状部８０にコレット２２の保持部３８が通過する第３開口８４を設け、その第３開口８４にコレット２２の保持部３８を通し、第１円盤状部８０とコレット２２の保持部３８とを隙間なく固定する。ひさし部８２は第１円盤状部８０の外周近傍を覆う。第１前部カバー６６とひさし部８２で形成される空間に第１円盤状部８０の外周部分が入り込む。ひさし部８２は第１前部カバー６６に取り付けられていて、回転しない。ひさし部８２は第１開口６８における少なくとも上半分に配置されている（図４）。
【００２６】
第２ラビリンス構造７６は第２円盤状部８６を備える。第２円盤状部８６の外周は第２開口７４よりも外方を一周するように設けられている。第２円盤状部８６は保持部３８、タレット盤２４またはその両方に取り付けられ、タレット盤２４と共に回転する。たとえば、第２円盤状部８６は保持部３８が通過する第４開口８８を設け、その第４開口８８にコレット２２の保持部３８を通す。第２円盤状部８６はタレット盤２４の表面に取り付ける。第２円盤状部８６と保持部３８およびタレット盤２４の間に隙間ができないようにする。
【００２７】
第１前部カバー６６と第２前部カバー７２の間および第１円盤状部８０と第２円盤状部８６の間にセパレータ９０、９２を備える。セパレータ９０、９２によって第１前部カバー６６と第２前部カバー７２の間および第１円盤状部８０と第２円盤状部８６の間に隙間７８、９４を形成する。セパレータ９０、９２は柱状または板状などの部材である。
【００２８】
コレット２２、タレット盤２４および筐体６２の前部６４を水で清掃された場合、第１前部カバー６６および第１円盤状部８０に水がかかる。第１前部カバー６６に設けた第１ラビリンス構造７０の上半部はひさし部８２によって重力方向に落下する水が隙間７８に浸入することを防止できる。第１円盤状部８０によっても、水平に近い角度の水が隙間７８に浸入することを防止できる。さらに第１ラビリンス構造７０の下半分は第１円盤状部８０によって重力方向に落下する水および水平に近い角度の水が隙間７８に浸入することを防止できる。
【００２９】
仮に隙間７８に水が到達した場合、第１ラビリンス構造７０によってその水の流れに勢いはない。そのため、第２ラビリンス構造７６によって筐体６２の中に水が浸入することを防止できる。
【００３０】
以上のように、本考案の筐体６２の前部６４は第１前部カバー６６と第２前部カバー７２の二重構造にし、第１ラビリンス構造７０と第２ラビリンス構造７６を設けたことで、筐体６２の中に水が浸入することを防止する。水以外の液体についても同様に筐体６２の中に浸入することを防止する。筐体６２の中に配置されたモータ３４などの装置を保護しやすい。
【００３１】
本考案は上記の実施形態に限定されない。たとえば、タレット盤２４に対する第１前部カバー６６および第２前部カバー７２の位置は図５の構成に限定されない。図６に示すように、第２円盤状部８６の第４開口９６はタレット盤２４が通過された開口であってもよい。また、図７に示すように、第１円盤状部８０の第３開口９８と第２円盤状部８６の第４開口９６はタレット盤２４が通過された開口であってもよい。第３開口９８と第４開口９６に保持部３８またはタレット盤２４の少なくとも１つが通過すれば、第１円盤状部８０と第２円盤状部８６の位置は適宜変更できる。
【００３２】
図８に示すように、第１円盤状部１０２の外周がひさし部１０４に向けて折れ曲がってもよい。ひさし部１０４の先端が第１円盤状部１０２に向けて折れ曲がってもよい。第１円盤状部１０２とひさし部１０４が折れ曲がることで液体が隙間７８に浸入しにくくなる。第２円盤状部１０６の外周を第２前部カバー７２の逆方向に折れ曲がってもよい。隙間７８に浸入した液体が筐体６２の内部空間に浸入しにくくなる。第１ラビリンス構造７０および第２ラビリンス構造７６は液体の浸入を防止できればその構造は限定されない。
【００３３】
筐体６２の前部６４は２つの前部カバー６６、７２を備え、２つのラビリンス構造７０、７６を備えたが、さらに前部カバーおよびラビリンス構造を増やしてもよい。
【００３４】
（第１項）一態様に係る繊維巻取装置は、ストランドが巻き取られるコレットと、前記コレットに回転軸が取り付けられ、コレットを回転させるモータと、前記回転軸を回転可能に保持する保持部と、前記保持部が取り付けられ、回転可能なタレット盤と、第１前部カバーと、前記第１前部カバーに形成されており、前記コレットまたはタレット盤が配置される第１開口と、前記第１開口の周縁部に配置された第１ラビリンス構造と、前記第１前部カバーに対して隙間を開けて配置された第２前部カバーと、前記第２前部カバーに形成されており、前記コレットまたはタレット盤が配置される第２開口と、前記第２開口の周縁部に配置された第２ラビリンス構造とを備える。
【００３５】
第１項に記載の繊維巻取装置によれば、第１前部カバーと第２前部カバーの二重構造にして、第１ラビリンス構造と第２ラビリンス構造を設けたことで、筐体の内部への液体の浸入を防止しやすくなっている。
【００３６】
（第２項）前記第１ラビリンス構造が第１円盤状部を備え、第２ラビリンス構造が第２円盤状部を備える。
【００３７】
第２項に記載の繊維巻取装置によれば、各ラビリンス構造は単純な構成である。
【００３８】
（第３項）前記第１ラビリンス構造が第１円盤状部を覆うひさし部を備える。
【００３９】
第３項に記載の繊維巻取装置によれば、ひさし部によって重力方向に落下する液体の浸入を防止できる。
【００４０】
（第４項）前記ひさし部が第１開口の周縁部における上半分に設けられる。
【００４１】
第４項に記載の繊維巻取装置によれば、ひさし部は第１開口の上半分にあれば液体の浸入を防止できる。
【００４２】
（第５項）前記第１前部カバーと第２前部カバーとの間にセパレータを備える。
【００４３】
第５項に記載の繊維巻取装置によれば、セパレータによって第１前部カバーと第２前部カバーの間の隙間を保持できる。
【００４４】
その他、本考案は、その主旨を逸脱しない範囲で当業者の知識に基づき種々の改良、修正、変更を加えた態様で実施できるものである。説明した各実施形態は独立したものではなく、当業者の知識に基づき適宜組み合わせて実施できるものである。
【符号の説明】
【００４５】
１０：繊維巻取装置
１２：フィラメント
１４：ギャザリングシュー
１６：ストランド
１８：ガイド
２０：トラバース装置
２２：コレット
２４：タレット盤
６２：筐体
６４：筐体の前部
６６、７２：前部カバー
６８、７４、８４、８８、９６、９８：開口
７０、７６：ラビリンス構造
７８、９４：隙間
８０、８６、１０２、１０６：円盤状部
８２、１０４：ひさし部
９０、９２：セパレータ
【図１】
0003227137.tif 000003
【図２】
0003227137.tif 000004
【図３】
0003227137.tif 000005
【図４】
0003227137.tif 000006
【図５】
0003227137.tif 000007
【図６】
0003227137.tif 000008
【図７】
0003227137.tif 000009
【図８】
0003227137.tif 000010